(57)【要約】【課題】  従来、各種の静電気除去装置は提案されているが、薄型で廃棄処理の容易なホテル用のカードキーは提案されていない。また磁気ストラップを備えたホテル用のカードキーで、除電及び／又は防磁が図れる構造は見当たらない。【構成】  パルプ繊維、カーボン繊維、熱可塑性繊維を混合し、泥状化したパルプ素材をシート状に延展、抄造等の手段により導電性シート材を製造し、導電性シート材の複数枚をクロス状に積層して構成した除電紙であって、除電紙の一面にラミネートフィルムで被覆し、他面にカーボン繊維を表顕可能とした磁気ストラップを備えたホテル用の紙製のカードキーである。従って、除電及び／又は防磁が図れる。【選択図】    図１
2007056595.tif 000002
【特許請求の範囲】
【請求項１】
パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる導電性シート材を製造し、この導電性シート材の複数枚をクロス状に積層して構成した除電紙であって、
この除電紙の一面にラミネートフィルムで被覆するとともに、その他面にカーボン繊維を表顕可能とした磁気ストラップを備えたホテル用の紙製のカードキー。
【請求項２】
ラミネートフィルムで一面が被覆された除電紙と、ラミネートフィルムで被覆されたアルミ、金、銀、銅、鉄等の金属箔及び／又はラミネートフィルムで被覆された除電紙で形成された複合方式の除電材を製造し、この除電材を熱圧着、接着、縫着等の一体化して構成した積層構造の除電紙であって、
この除電紙の他面にカーボン繊維を表顕可能とした磁気ストラップを備えたホテル用の紙製のカードキー。
【請求項３】
請求項２に記載の除電紙は、パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる導電性シート材を製造し、この導電性シート材の複数枚をクロス状に積層して構成した磁気ストラップを備えたホテル用の紙製のカードキー。
【請求項４】
カーボン繊維を混在して磁気ストラップを一面に備えた導電性樹脂シートであって、
この導電性樹脂シートの他面にカーボン繊維を表顕可能としたホテル用のカードキー。
【請求項５】
請求項４に記載のカーボン繊維を混在して磁気ストラップを一面に備えた導電性樹脂シートであって、
この導電性樹脂シートの他面の略全面にカーボン繊維を表顕可能とし、この表顕したカーボン繊維を利用してコロナ放電する構成としたホテル用のカードキー。
【発明の詳細な説明】
【技術分野】
【０００１】
本発明は、除電紙を積層して構成した紙製キー、又は除電紙及び／又はアルミ、金、銀、銅、鉄等の金属箔及び／又はラミネートフィルムで被覆された除電紙で形成された複合方式の除電材を製造し、この除電材を利用して構成した紙製キーに関する。
【背景技術】
【０００２】
人体及び／又は衣服に帯電した静電気を除去（除電）する手段は多々ある。例えば、特開平９−２４５９８７号の「除電装置」がある（文献（１）とする）。この発明は、自動車の鍵を金属製の鍵部と静電気中和部で形成する。この静電気中和部は、ゴム、プラスチック等からなる基材中に、導電性物質からなる繊維状の静電気中和材を混合した構成であって、静電気をコロナ放電して中和する特性を有し、自動車の鍵穴に差し込んだりすることによって、自動車の走行によって車体や人体等に帯電した静電気をアースすることなく中和する。所謂、静電気を放電し、不快な電撃を回避することを意図する。しかし、この発明は、導電性物質からなる静電気中和材として商品名「ソルディオン」をゴム、プラスチック等に混在することから、紙と同様に処理することは困難であり、問題を残すこと、及び環境破壊の要因となり兼ねないこと等の改良が考えられる。また特開平１１−１７６５９０号の「静電気除去具」がある（文献（２）とする）。この発明は、鍵を収容可能としたプラスチック成型体（組成物）であって、このプラスチック成型体をベースプラスチックに導電性チタン酸アルカリ金属塩を配合した所定の体積固有抵抗を有する構成とし、プラスチック成型体が静電気を放電する際のサージ吸収回路を構成し、もって、抵抗器を含むサージ吸収回路を不要とし、生産性を向上と、コストダウンを図りことを意図する。しかし、この発明は、プラスチック成型体であることから、紙と同様に処理することは困難であり、前述の文献（１）と同様な改良点がある。次に特開平９−１６１９８８号の「静電気除去装置」がある（文献（３）とする）。この発明は、柔軟性を有する電気良導体の樹脂材より偏平に形成された導電性樹脂片の裏面を、電気抵抗の大きい接着材で被覆し、接着材の表面に保護シートを貼着した構成であり、導電性樹脂片に柔軟性を持たせることを利用し、この静電気除去装置の取付ける場所の汎用性を確保することを意図する。しかし、この発明は、導電性樹脂片の裏面に接着材を被覆し、この接着材を保護シートで保護する構成であり、カードキーには採用できない構造である。
【０００３】
そして、本発明は、カードキーの磁気ストラップ保護の一環である放電が図れる構成を提案する。しかし、このカードキーの磁気ストラップ保護を意図して放電を図る先行文献は見当たらなかった。
【０００４】
【特許文献１】特開平９−２４５９８７号
【特許文献２】特開平１１−１７６５９０号
【特許文献３】特開平９−１６１９８８号
【発明の開示】
【発明が解決しようとする課題】
【０００５】
前述した文献（１）〜（３）は、除電効果を意図した優れた発明である。しかし、これらの発明は、プラスチックをベースとする構成であり、このプラスチックの処理に問題を残すことが考えられ、その改良が望まれる。そして、念のために、前述の問題の一例を挙げれば、今日、種々問題となり、かつ解決が望まれている環境保護と資源の有効利用であって、換言すると、地球環境の崩壊の問題である。この地球環境の崩壊に関し、この文献（１）〜（３）が貢献することには改良すべき構成を含んでいる。
【０００６】
上記に鑑み、本発明は、今日、解決が望まれている環境保護と資源の有効利用に役立ち、もって地球環境という大きな問題の解決の一環として有効である紙製のカードキーを提供すること、確実な除電を図って、ドアーのノブへの接触による不快感を無くし、また室内へのごみ等の持込みを回避すること等を意図する。また本発明は、軽量で、持ち運びに有益であること及び／又は収容にスペースを要することなく保管できること等の如く、コンパクトで利便性を確保することを意図する。そして、本発明は、廃棄処分に対して環境及び／又は人に悪影響を与えず行えること等を意図する。尚、本発明は、紙製のカードキーの磁気ストラップ保護の一環である放電が図れる構成を提案する。
【課題を解決するための手段】
【０００７】
請求項１の発明は、今日、解決が望まれている環境保護と資源の有効利用に役立ち、もって地球環境という大きな問題の解決の一環として有効である紙製のカードキーを提供すること、確実な除電を図って、ドアーのノブへの接触による不快感を無くし、また室内へのごみ等の持込みを回避すること等を意図する。また請求項１の発明は、軽量で、持ち運びに有益であること及び／又は収容にスペースを要することなく保管できること等の如く、コンパクトで利便性を確保すること等を意図する。そして、請求項１の発明は、廃棄処分に対して環境及び／又は人に悪影響を与えず行うこと等を意図する。また請求項１の発明は、紙製のカードキーの磁気ストラップ保護の一環である放電が図れる構成を提案する。
【０００８】
請求項１は、パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる導電性シート材を製造し、この導電性シート材の複数枚をクロス状に積層して構成した除電紙であって、この除電紙の一面にラミネートフィルムで被覆するとともに、その他面にカーボン繊維を表顕可能とした磁気ストラップを備えたホテル用の紙製のカードキーである。
【０００９】
請求項２の発明は、請求項１の目的を達成し、より優れたカードキーを提供することを意図する。
【００１０】
請求項２は、ラミネートフィルムで一面が被覆された除電紙と、ラミネートフィルムで被覆されたアルミ、金、銀、銅、鉄等の金属箔及び／又はラミネートフィルムで被覆され
た除電紙で形成された複合方式の除電材を製造し、この除電材を熱圧着、接着、縫着等の一体化して構成した積層構造の除電紙であって、この除電紙の他面にカーボン繊維を表顕可能とした磁気ストラップを備えたホテル用の紙製のカードキーである。
【００１１】
請求項３の発明は、請求項２の目的を達成すること、またこの目的を達成するのに最適な除電紙を提供することを意図する。
【００１２】
請求項３は、請求項２に記載の除電紙は、パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる導電性シート材を製造し、この導電性シート材の複数枚をクロス状に積層して構成した磁気ストラップを備えたホテル用の紙製のカードキーである。
【００１３】
請求項４の発明は、今日、解決が望まれている環境保護と資源の有効利用に役立ち、かつ廃棄処分にそれほど難渋しない導電性樹脂シート製のカードキーを提供すること、確実な除電を図って、ドアーのノブへの接触による不快感を無くし、また室内へのごみ等の持込みを回避すること等を意図する。また請求項４の発明は、軽量で、持ち運びに有益であること及び／又は収容にスペースを要することなく保管できること等の如く、コンパクトで利便性を確保すること等を意図する。尚、また請求項４の発明は、導電性樹脂シート製のカードキーの磁気ストラップ保護の一環である放電が図れる構成を提案する。
【００１４】
請求項４は、カーボン繊維を混在して磁気ストラップを一面に備えた導電性樹脂シートであって、この導電性樹脂シートの他面にカーボン繊維を表顕可能としたホテル用のカードキーである。
【００１５】
請求項５の発明は、請求項４の目的を達成すること、またこの目的を達成するのに最適な導電性樹脂シートを提供することを意図する。
【００１６】
請求項５は、請求項４に記載のカーボン繊維を混在して磁気ストラップを一面に備えた導電性樹脂シートであって、この導電性樹脂シートの他面の略全面にカーボン繊維を表顕可能とし、この表顕したカーボン繊維を利用してコロナ放電する構成としたホテル用のカードキーである。
【発明の効果】
【００１７】
請求項１の発明は、パルプ繊維とカーボン繊維、及び熱可塑性繊維を混合し、泥状化したパルプ素材を生成し、パルプ素材をシート状に延展、抄造等の手段により製造し、パルプ繊維中にカーボン繊維を混在してなる導電性シート材を製造し、導電性シート材の複数枚をクロス状に積層して構成した除電紙であって、除電紙の一面にラミネートフィルムで被覆するとともに、他面にカーボン繊維を表顕可能とした磁気ストラップを備えたホテル用の紙製のカードキーである。
【００１８】
従って、請求項１は、今日、解決が望まれている環境保護と資源の有効利用に役立ち、もって地球環境という大きな問題の解決の一環として有効である紙製のカードキーを提供できること、確実な除電を図って、ドアーのノブへの接触による不快感を無くし、また室内へのごみ等の持込みを回避できること等の特徴を有する。また請求項１は、軽量で、持ち運びに有益であること及び／又は収容にスペースを要することなく保管できること等の如く、コンパクトで利便性が確保できること等の特徴を有する。そして、請求項１は、廃棄処分に対して環境及び／又は人に悪影響を与えず行えること等の実益を有する。また請求項１は、紙製のカードキーの磁気ストラップ保護の一環である放電が図れる構成を提案できる特徴を有する。
【００１９】
請求項２の発明は、ラミネートフィルムで一面が被覆された除電紙と、ラミネートフィルムで被覆されたアルミ、金、銀、銅、鉄等の金属箔及び／又はラミネートフィルムで被覆された除電紙で形成された複合方式の除電材を製造し、除電材を熱圧着、接着、縫着等の一体化して構成した積層構造の除電紙であって、除電紙の他面にカーボン繊維を表顕可能とした磁気ストラップを備えたホテル用の紙製のカードキーである。
【００２０】
従って、請求項２は、請求項１の目的を達成でき、かつより優れたカードキーを提供できること等の特徴を有する。
【００２１】
請求項３の発明は、請求項２に記載の除電紙は、パルプ繊維とカーボン繊維、及び熱可塑性繊維を混合し、泥状化したパルプ素材を生成し、パルプ素材をシート状に延展、抄造等の手段により製造し、パルプ繊維中にカーボン繊維を混在してなる導電性シート材を製造し、導電性シート材の複数枚をクロス状に積層して構成した磁気ストラップを備えたホテル用の紙製のカードキーである。
【００２２】
従って、請求項３は、請求項２の目的を達成できること、またこの目的を達成するのに最適な除電紙を提供できること等の特徴を有する。
【００２３】
請求項４の発明は、カーボン繊維を混在して磁気ストラップを一面に備えた導電性樹脂シートであって、導電性樹脂シートの他面にカーボン繊維を表顕可能としたホテル用のカードキーである。
【００２４】
従って、請求項４は、今日、解決が望まれている環境保護と資源の有効利用に役立ち、かつ廃棄処分にそれほど難渋しない導電性樹脂シート製のカードキーを提供できること、確実な除電を図って、ドアーのノブへの接触による不快感を無くし、また室内へのごみ等の持込みを回避できること等の特徴を有する。また請求項４は、軽量で、持ち運びに有益であること及び／又は収容にスペースを要することなく保管できること等の如く、コンパクトで利便性が確保できること等の特徴を有する。尚、また請求項４は、導電性樹脂シート製のカードキーの磁気ストラップ保護の一環である放電が図れる構成を提案できること等の特徴を有する。
【００２５】
請求項５の発明は、請求項４に記載のカーボン繊維を混在して磁気ストラップを一面に備えた導電性樹脂シートであって、導電性樹脂シートの他面の略全面にカーボン繊維を表顕可能とし、表顕したカーボン繊維を利用してコロナ放電する構成としたホテル用のカードキーである。
【００２６】
従って、請求項５は、請求項４の目的を達成できること、またこの目的を達成するのに最適な導電性樹脂シートを提供できること等の特徴を有する。
【発明を実施するための最良の形態】
【００２７】
本発明の一例を説明する。
【００２８】
先ず、図面の説明をすると、図１は導電性シート材を製造する過程を示した模式図、図２は第一の実施例（請求項１）に採用する紙製の除電紙の一例を示した斜視図、図３は図２の断面図、図４は図２に示した紙製の除電紙を採用したホテル用のカードキーを示した正面斜視図、図５はその一部欠截の背面斜視図、図６は第二の実施例（請求項２・３）に採用するラミネートフィルムで被覆した紙製の除電紙の一例を示した一部欠截の斜視図、図７は図６の断面図、図８は図６に示した紙製の除電紙を採用したホテル用のカードキーを示した正面斜視図、図９はその一部欠截の背面斜視図、図１０は第三の実施例（請求項３・４）に採用する導電性樹脂シートの一例を示した一部欠截の斜視図、図１１は図１０の断面図、図１２は図１０に示した導電性樹脂シートを採用したホテル用のカードキーを示した正面斜視図、図１３はその一部欠截の背面斜視図である。
【００２９】
最初に、図１に示した除電紙の基材である導電性シート材を製造する過程を示した模式図を利用し、この除電紙の製造する過程を説明すると、解繊機、叩解機、又は撹拌混合機械、或いは粉砕混合機械等の手段（解繊機、叩解機とする）に、パルプ繊維及び／又はカーボン繊維等を投入し、当該パルプ繊維、カーボン繊維を、所定の寸法に叩解及び／又は撹拌・粉砕等する。この作業で、叩解及び／又は撹拌・粉砕されたパルプ繊維、カーボン繊維でなる磁気シールド性の粒子（粉砕粒子とする）が生成される。この粉砕粒子に、水分を媒体として撥水又は耐水処理を行って水分を媒体として泥状化させる（泥状化したパルプ素材であり、所謂、スラリーである）。この工程において、水分を媒体として泥状化したパルプ素材とすることで、例えば、作業の効率化、簡略化と、粉塵の発生回避等が図れること、また泥状化したパルプ素材の品質の向上と、この品質の確保が図れること等の利点がある。この水分の付与は、何れの方法でも可能であり、例えば、噴霧、充填、塗布等があるが、その判断基準は、たとえば、簡便で確実な方法、工場の設備、経済性等を総合的に評価して決定される。そして、以後、この例では二つのルート（以下の「０１」と、「０２」に区分して説明する）を辿る。そこで、以下、この各ルートを個別に説明する。
【００３０】
「０１」に示した第一のルート（ウェット成形ルート）は、抄製工程を経由して、紙抄きの感覚で導電性シートを作製する。この抄製工程は、成形工程により、導電性シート素材を成形した後に、熱プレスで成形するウェット成形ルートがある。このルートは、例えば、少量成形で、かつ手作業による製造法である。尚、このウェット成形ルートは、熱プレス成形機等によるプレス成形後、エアー工程を利用して付着した塵、埃又は滓等を排除して所定の形状の導電性シートを製造することが望ましい。この例では、成形後にトリミング加工を行って導電性シート材を製造する成形ルートもあり得る。
【００３１】
「０２」に示した第二のルート（ドライ成形ルート：板紙成形ルート）は、また他の抄製工程は、この導電性シート素材に乾燥処理及び／又は紙粉防止処理を行った後、積層及び／又は熱圧着工程においてロールプレス機等の熱プレスで、熱による圧着を利用して成形後にトリミング加工を行った後に、エアー工程を利用して付着した塵、埃又は滓等を排除して所定の形状の導電性シート材を製造する。この他のルートは大量成形で、かつ機械加工・低コストによる製造法である。
【００３２】
尚、前記紙粉防止処理は、水分を媒体として泥状化したパルプ素材に、エマルジョン等の薬剤を、何れの方法で添加する。その添加は、例えば、噴霧、充填、塗布等があり、簡便かつ確実な方法を採用する。そして、この工程において、紙粉防止処理を行なうことにより、乾燥工程により表面に噴き出た紙紛を確実に押えて、平面平滑性を確保できる。また後工程での紙紛落下と、この落下に基づくトラブルの解消と、又は作業の効率化、簡略化等を図り、かつ確実で品質の良い導電性シート材の製造に有益である。また前記積層及び／又は熱圧着工程においてロールプレス機等の熱プレスで、熱による圧着を利用したルートは、略自然の状態で、前記紙紛の押え及び／又は平面平滑性が確保できるので、有益である。さらにこの他の抄製工程の積層及び／又は熱圧着工程では、図示しないが、芯材として、例えば、牛乳パックの再生品、ダンボール芯、又は他の紙製芯材（再利用が図れ有益である）が利用できる。この芯材の少なくとも一面に導電性シート材を添接する。尚、この導電性シート材の枚数は一枚でも可能であるが、枚数が増加すればそれなりの放電効果（帯電防止効果）及び／又は防磁効果（残留磁気、外乱磁場等の各種の磁気を遮断する効果：磁気シールド効果「磁気ストラップのデータの保護」）が期待できる。また導電性シート材を、一枚のみで利用できるので、強度、引張り等による亀裂・破壊等の損傷とか、場合により防磁効果等を問題としない場合にも有益である。
【００３３】
第一の実施例を図２〜図５を基に説明すると、紙製のカードキーＡは、芯材１００を中心にして導電性シート材５を積層し、その強度・防磁及び／又は放電特性が確保された除電紙１で構成する。尚、この除電紙１は、カーボン繊維２とパルプ繊維３で構成し、またこのカーボン繊維２とパルプ繊維３の一体及び／又はこのカーボン繊維２の脱抜を意図して熱可塑性繊維４を混入する。そして、このカーボン繊維２の混入率によっては、導電性シート材の上下の積層方向及び／又は積層面積等を適宜変更する。このように導電性シート材を適宜積層する目的は、放電効果及び／又は防磁効果を図ること、またカーボン繊維２の混入率を低く押え、例えば、低コスト化・軽量化を図ること、また質感の確保又は環境破壊を少なくすること、或いは除電紙１の薄肉化で低コスト化を図ること、さらには環境破壊をより少なくするとともに、製造の簡便化・加工の容易化を図ること等を意図する。そして、紙製のカードキーＡの一面Ａ１にラミネートフィルム（図示せず）で被覆し、この一面Ａ１にホテルの名称、その他必要事項を表記する。またその他面Ａ２に放電効果を図るために、カーボン繊維２を表顕可能とするとともに、この除電紙１の防磁効果を利用して磁気ストラップ６のデータを保護する。このカーボン繊維２の表顕（カーボン繊維２の毛羽の表出）と他面Ａ２の表面積を利用し、放電を速やかに可能とし、防塵、帯電、不快感等の発生防止効果を図る。尚、他面Ａ２の表面と磁気ストラップ６の表面を面一とすることで、この磁気ストラップ６の機能の発揮と、防磁効果をより発揮できるものと考えられる。この例では、原則として紙が主体であり、その廃棄処分の有利性が確保できる。
【００３４】
第二の実施例を図６〜図９を基に説明すると、紙製のカードキーＡは、一方側の除電紙１の両面を熱可塑性のラミネートフィルム１ａ、１ｂで被覆した表面層を設け、その中間に防磁を確保するために、アルミ、金、銀、銅、鉄等の金属箔（以下、金属箔１０１とする。）の両面を熱可塑性のラミネートフィルム１０１ａ、１０１ｂで被覆した中間層を設け、また他方側の除電紙１の一面を熱可塑性のラミネートフィルム１ａで被覆した裏面層で形成し、この表面層、中間層と裏面層を一体（接着又はラミネートフィルムによる）することで構成される。尚、金属箔１０１は、複数枚積層し、確実かつ略完全な防磁を確保する。また除電紙１は、複数枚クロス状に積層して前述と同様な機能を発揮できるようにする。そして、この第二の実施例でも、紙製のカードキーＡの一面Ａ１に一体化のために採用したラミネートフィルム（図示せず）で被覆することで、この一面Ａ１に表記したホテルの名称、その他必要事項を保護する。またその他面Ａ２に放電効果を図るために、カーボン繊維２を表顕可能とするとともに、この除電紙Ａの防磁効果を利用して磁気ストラップ６のデータを保護及び／又は効果等は前述の実施例と同様である。また廃棄処分等に関しても、前述の実施例と同様である。
【００３５】
第三の実施例を図１０〜図１３を基に説明すると、樹脂製のカードキーＢは、熱可塑性樹脂７にカーボン繊維２を混在して磁気ストラップ６を一面に備えた導電性樹脂シート８であって、導電性樹脂シート８の他面の略全面にカーボン繊維２を表顕可能とし、表顕したカーボン繊維２を利用してコロナ放電する構成であり、この熱可塑性樹脂７に熱可塑性エラストマーを採用することで、廃棄の容易化と再利用化等を図ることが理想である（他の実施例も同じ）。尚、導電性樹脂シート８の一面及び／又は他面をラミネートフィルム（図示せず）で被覆することもあり得る。
【図面の簡単な説明】
【００３６】
【図１】図１は導電性シート材を製造する過程を示した模式図
【図２】図２は第一の実施例（請求項１）に採用する紙製の除電紙の一例を示した斜視図
【図３】図３は図２の断面図
【図４】図４は図２に示した紙製の除電紙を採用したホテル用のカードキーを示した正面斜視図
【図５】図５はその一部欠截の背面斜視図
【図６】図６は第二の実施例（請求項２・３）に採用するラミネートフィルムで被覆した紙製の除電紙の一例を示した一部欠截の斜視図
【図７】図７は図６の断面図
【図８】図８は図６に示した紙製の除電紙を採用したホテル用のカードキーを示した正面斜視図
【図９】図９はその一部欠截の背面斜視図
【図１０】図１０は第三の実施例（請求項３・４）に採用する導電性樹脂シートの一例を示した一部欠截の斜視図
【図１１】図１１は図１０の断面図
【図１２】図１２は図１０に示した導電性樹脂シートを採用したホテル用のカードキーを示した正面斜視図
【図１３】図１３はその一部欠截の背面斜視図
【符号の説明】
【００３７】
１              除電紙
１ａ            ラミネートフィルム
１ｂ            ラミネートフィルム
１００          芯材
１０１          金属箔
１０１ａ        ラミネートフィルム
１０１ｂ        ラミネートフィルム
２              カーボン繊維
３              パルプ繊維
４              熱可塑性繊維
５              導電性シート材
６              磁気ストラップ
７              熱可塑性樹脂
８              導電性樹脂シート
Ａ              紙製のカードキー
Ａ１            一面
Ａ２            他面
Ｂ              樹脂製のカードキー
【図１】
2007056595.tif 000003
【図２】
2007056595.tif 000004
【図３】
2007056595.tif 000005
【図４】
2007056595.tif 000006
【図５】
2007056595.tif 000007
【図６】
2007056595.tif 000008
【図７】
2007056595.tif 000009
【図８】
2007056595.tif 000010
【図９】
2007056595.tif 000011
【図１０】
2007056595.tif 000012
【図１１】
2007056595.tif 000013
【図１２】
2007056595.tif 000014
【図１３】
2007056595.tif 000015